(57)【要約】【課題】ロック爪をロック枠に係止するロック装置において、係合面に隙間を発生させず、ガタ付きを発生させないロック装置を提供する。【解決手段】ワイヤハーネスに取り付けられ、互いに結合される第一部材と第二部材に設けたロック装置であって、前記第一部材に向けて突出する係止片を第二部材に設け、該係止片の突出方向の中間部に突出側に向けてコ字状のスリットを設け、該スリットに囲まれていない突出側辺を支点として外開きできる可動ロック爪を設ける一方、前記第一部材の外面にロック枠を突設すると共に、該ロック枠より下方の前記外面にロック爪押圧用突起を設け、前記第一部材の外面とロック枠に囲まれた空間を貫通した前記係止片の前記可動ロック爪を前記ロック爪押圧用突起で外開きし、該ロック爪の上端係合面を前記ロック枠の外側部の下端係合面とを互いに当接させる構成としている。【選択図】図２
2010220425.tif 000002
【特許請求の範囲】
【請求項１】
ワイヤハーネスに取り付けられ、互いに結合される樹脂成形品からなる第一部材と第二部材とに設けたロック装置であって、
前記第一部材に向けて突出する係止片を第二部材に設け、該係止片の突出方向の中間部に突出側に向けてコ字状のスリットを設け、該スリットに囲まれていない突出側辺を支点として外開きできる可動ロック爪を設ける一方、
前記第一部材の外面にロック枠を突設すると共に、該ロック枠より下方の前記外面にロック爪押圧用突起を設け、
前記第一部材の外面とロック枠に囲まれた空間を貫通した前記係止片の前記可動ロック爪を前記ロック爪押圧用突起で外開きし、該ロック爪の上端係合面を前記ロック枠の外側部の下端係合面とを互いに当接させる構成としていることを特徴とするロック装置。
【請求項２】
前記ロック爪押圧用突起は断面三角形状で上面が外方へ下方傾斜して突出する傾斜面とし、その突出量Ｈは、前記第一部材の外面と前記ロック枠の外側枠の内面との距離Ｓの４０〜６０％に設定している請求項１に記載のロック装置。  
【請求項３】
ワイヤハーネスを貫通保護するプロテクタの本体を前記第一部材とし、プロテクタの蓋を前記第二部材とし、
前記蓋の上壁の外端縁又は蓋の周壁の下端から前記係合片を突設し、前記本体の周壁の外面より前記ロック枠と前記ロック爪押圧用突起を設けている請求項１または請求項２に記載のロック装置。
【発明の詳細な説明】
【技術分野】
【０００１】
本発明は２つ部材を結合するロック装置に関し、詳しくは、ワイヤハーネスに取り付けられるプロテクタの本体と蓋とを結合するロック装置として好適に用いられるものである。
【背景技術】
【０００２】
自動車に配索される電線群の集束体であるワイヤハーネスに外装し、ワイヤハーネスの保護および配索方向を規制する部材として、樹脂成形品の本体と蓋とからなるプロテクタが汎用されている。該プロテクタは断面コ字状の本体内部にワイヤハーネスを貫通した後に、本体に、本体と別体の蓋あるいは本体の一側壁にヒンジ結合した蓋を、本体と蓋とに設けた係止部と被係止部とを結合してロックしている。
また、ワイヤハーネスを接続する電気接続箱においても、本体に分岐接続回路を構成する内部回路体を収容し、蓋を本体にロック結合している。
このようにワイヤハーネスに取り付ける樹脂成形品からなる部材には、ロック装置が設けられていることが多い。
【０００３】
この種のロック装置は、通常、図７に示すように、本体１００の外面から係止枠１０１を突設する一方、蓋１１０の外面から下向きに係止片１１１を突設し、その下端に係止爪１１２を設け、係止爪１１２を係止枠１０１の外枠部１０１ａの下面に係合してロック結合している。
また、前記と同様なロック装置とした特開平５−２５２６３４号公報のロック装置では、図８に示すように、本体１００の周壁には係止枠１０１の上方に凹部１０２を設けている。
【先行技術文献】
【特許文献】
【０００４】
【特許文献１】特開平５−２５２６３４号公報
【発明の概要】
【発明が解決しようとする課題】
【０００５】
従来汎用されている図７に示すロック装置では、蓋１１０の係止爪１１２を本体１００の外面１００ａと係止枠１０１の間の空間を通過させる際、係止枠１０１を外方に撓ませて通過させるために、係止爪１１２を係止枠１０１の外枠部１０１ａの下面に係合した状態でクリアランスＣを設けておく必要がある。しかしながら、このクリアランスＣにより、ロック状態でガタ付きが発生し、自動車の走行時にガタ付きにより異音が発生する問題がある。特に、プロテクタを室内側に配置する場合、静寂とする室内に異音が響くことになり、異音の発生を無くすことが求められている。
図８に示す特許文献１のロック装置では、本体１００の上端に凹部１０２を設けることにより、蓋１１０の全体を撓ませて係止爪１１２を本体外面１００ａと係止枠１０１の間の空間を貫通させ、係止爪１１２を係止枠１０１の外枠部１０１ａの下面に係止した状態で蓋１１０を弾性復帰させ、これにより、係止爪と係止枠との係止面にクリアランスを発生させないようにしている。しかしながら、このようにロック結合すると、ロックを解除して蓋１１０を取り外す場合に治具が必要となる問題がある。かつ、ロック状態で凹部１０２からなる切欠部が生じることになり、被水領域に配置すると該凹部１０２から浸水が発生する恐れがある。
【０００６】
本発明は前記問題に鑑みてなされたもので、図８に示すような凹部１０２を本体の上端に設けることなく、係止爪と係止枠との係合面にクリアランスを発生させないロック装置を提供することを課題としている。
【課題を解決するための手段】
【０００７】
前記課題を解決するため、本発明は、ワイヤハーネスに取り付けられ、互いに結合される樹脂成形品からなる第一部材と第二部材とに設けたロック装置であって、
前記第一部材に向けて突出する係止片を第二部材に設け、該係止片の突出方向の中間部に突出側に向けてコ字状のスリットを設け、該スリットに囲まれていない突出側辺を支点として外開きできる可動ロック爪を設ける一方、
前記第一部材の外面にロック枠を突設すると共に、該ロック枠より下方の前記外面にロック爪押圧用突起を設け、
前記第一部材の外面とロック枠に囲まれた空間を貫通した前記係止片の前記可動ロック爪を前記ロック爪押圧用突起で外開きし、該ロック爪の上端係合面を前記ロック枠の外側部の下端係合面とを互いに当接させる構成としていることを特徴とするロック装置を提供している。
【０００８】
従来のロック装置では、蓋側の係止爪を係止片より外方へ突出させて設けているために、該蓋を本体に結合する際、蓋の係止爪が本体外面と係止枠との間の空間を通過する際に係止枠を撓ませるためにクリアランスが必要となる点に着目し、前記空間を通過する際には係止爪により係止枠を撓ませることなく係止爪を通過させることができるようにし、よって、係止爪と係止枠との係合面にクリアランスが生じないようにしたものである。
即ち、従来のロック装置では係止爪を予め突出させて設けているが、本発明では、ロック爪は外方に突設して設けず、略平板状態で本体外面と係止枠との間の空間を通過させ、ロック枠を撓ませることなくロック爪を前記空間を通過させて、従来は必要とされたクリアランスＣを不要とし、ロック爪とロック枠との係合面にクリアランスによるガタ付きが発生するのを防止している。
【０００９】
具体的には、本発明では、前記のように、蓋等とからなる第二部材の係止片に、コ字状のスリットを設け、該スリットに囲まれて下端を支点として外開きできる可動ロック爪を設けており、従来の予め外側へ突設した固定ロック爪と相違させた全く新規なロック装置としている点に特徴を有する。
このように、本体等からなる第一部材の外面とロック枠の間の空間を可動ロック爪が貫通する時には、該可動ロック爪は外方に突出していないためロック枠を外方へと撓ませる必要はない。かつ、前記空間を貫通後には第一部材の外面に突設したロック爪押圧用突起で可動ロック爪が外開き状態とされるため、可動ロック爪は外方へ突出し、第一部材のロック枠の外側枠下端面とクリアランスが発生することなく係合することになる。よって、クリアランスにより係合面にガタ付きが生じず、異音の発生を防止できる。
【００１０】
前記第一部材の外面とロック枠の外側枠との寸法は前記第二部材の係止片が丁度嵌合すると共に挿通できる大きさとしている。
前記第一部材の外面から突設するロック爪押圧用突起は断面三角形状で上面が外方へ下方傾斜して突出する傾斜面とし、その突出量Ｈは、前記第二部材の外面と前記ロック枠の外側枠の内面との距離Ｓの４０〜６０％に、好ましくは半分の５０％（１／２）に設定することが好ましい。
【００１１】
前記第一部材と第二部材は、ワイヤハーネスを貫通保護するプロテクタの蓋と本体とからなり、蓋を前記第二部材とし、プロテクタの本体を前記第一部材とし、前記蓋の上壁の外端縁又は蓋の周壁の下端から前記係合片を突設し、前記本体の周壁の外面より前記ロック枠を突設すると共に前記ロック爪押圧用突起を設けていることが好ましい。
【００１２】
前記プロテクタに限らず、ワイヤハーネスを接続する電気接続箱のケース本体と該ケース本体に取り付ける蓋との間のロック装置にも好適に用いられる。かつ、該電気接続箱やプロテクタに限らず、ワイヤハーネスに取り付ける第一部材と第二部材とをロック結合する組み立て部品に用いることができる。
【発明の効果】
【００１３】
上述したように、本発明のロック装置は、ロック爪を予め突設しておらず、平板状とし、ロック枠とのロック時に外方へ突出する可動ロック爪としている点に特徴を有し、該可動ロック爪を設けたロック装置は従来のワイヤハーネス用の組立部品には全くなく、新規なロック爪である。このようにロック爪を可動ロック爪とすることで、ロック枠とのロック結合時にロック枠を撓ませる必要はなく、撓ませるために必要なクリアランスが不要となり、可動ロック爪とロック枠との係合面にクリアランスが発生せず、ガタ付きを無くすことができ、異音の発生を防止することができる。
【００１４】
かつ、可動ロック爪は平板形状の係止片にコ字形状のスリットを設けるだけで形成でき、該ロック爪を係止するロック枠と対向する第一部材の外面にロック爪押圧用突起を設けるだけでよく、構成が簡単であるため、成形用の金型の製作費を低減できる。さらに、可動ロック爪を設ける蓋等の第二部材には、本体等の第一部材と結合するまでは、蓋等から突設した係止片が平板状でロック爪が突出していないため、ロック爪が外部材と干渉することが無い利点も有する。
【図面の簡単な説明】
【００１５】
【図１】第一実施形態のロック装置を備えたプロテクタを示す概略全体図である。
【図２】（Ａ）はプロテクタの本体と蓋との要部分解斜視図、（Ｂ）はロック状態におけるロック部の拡大斜視図である。
【図３】本体に設けたロック枠とロック押圧用突起との寸法関係を示す断面図である。
【図４】ロック操作時の挿入工程を示し、（Ａ）は係止片の挿入過程を示す図面、（Ｂ）はロック時の断面図である。
【図５】第一実施形態の変形例を示す図面である。
【図６】第二実施形態を示す斜視図である。
【図７】従来例を示す図面である。
【図８】他の従来例を示す図面である。
【発明を実施するための形態】
【００１６】
以下、本発明の実施形態を図面を参照して説明する。
図１乃至図４に示す第一本実施形態のロック装置は、自動車に配索するワイヤハーネス１に対して所要箇所に外装するプロテクタ２の本体３と蓋４とのロック装置に関する。本体３が第一部材、蓋４が第二部材に相当し、本体３にワイヤハーネス１を貫通した後に蓋４を被せてロックしている。
【００１７】
プロテクタ２の本体３は底壁５と両側の側壁６を備えた断面コ字形状であり、蓋４は本体３の上端開口８を閉鎖する上壁９を有する平板形状であり、本体３および蓋４はいずれも樹脂成形品からなる。
【００１８】
前記本体３の両側の側壁６の上端に沿って間隔をあけてロック装置の一方部材を構成するロック枠１０を突設している。該ロック枠１０は、両側の側壁６の外面６ａから突設する両側枠１０ａ、１０ｂと、該両側枠１０ａ、１０ｂの先端間を連結する外側枠１０ｃとからなり、該外側枠１０ｃの水平面からなる下面が下端係合面１０ｄとなる。
【００１９】
また、本体３の両側壁６の外面６ａにはそれぞれロック枠１０の下方にロック爪押圧用突起１１を突設している。ロック爪押圧用突起１１はロック枠１０の両側壁１０ａと１０ｂの間の中間位置の下方に設けている。該ロック爪押圧用突起１１は断面三角形状で上面が外方へ下方傾斜して突出する傾斜面１１ａとしている。その突出量Ｈは、図３に示すように、前記側壁の外面６ａとロック枠１０の外側枠１０ｃの内面との間の空間１７の距離Ｓの１／２に設定している。前記距離Ｓは後述する蓋４の係止片１５の肉厚ｔより僅かに大きくし、係止片１５が外面６ａとロック枠の外側枠１０ｃの間に丁度嵌合すると共にスムーズに挿通できる寸法としている。
【００２０】
一方、蓋４の上壁９の幅方向両端から前記ロック枠１０と対向する位置に下向きに、ロック装置の他方部材となる平板状の係止片１５を突設している。
係止片１５の中央部に下向きのコ字状のスリット１６を設けている。該スリット１６は縦方向の両側部１６ａと１６ｂの上端を中央連結部１６ｃで連結しており、該スリット１６で囲まれた部分を切り起し状の可動ロック爪１８としている。該可動ロック爪１８はスリットが無く係止片１５と連結している下端辺１８ａを支点として係止片１５に対して回転可能としている。該可動ロック爪１８が下端辺１８ａを支点として回転すると、スリット１６の中央連結部１６ｃで分断された可動ロック爪１８の上端辺が大きく突出する。該上端辺の上面を上端係合面１８ｃとしている。
【００２１】
前記のように、本体３にワイヤハーネス１を貫通した後に、本体３の上端開口に蓋４を被せて、本体３と蓋４とをロック結合している。ロック方法を以下に説明する。
【００２２】
図４に示すように、本体３の上端開口に被せた蓋４から下向きに突出する係止片１５を、本体３の両側の側壁６の外面６ａに摺接させて、外面６ａとロック枠１０の間の空間１７、に挿入する。該挿入時には係止片１５の可動ロック爪１８は係止片１５から突出せず、同一平面上に位置する。前記空間１７を係止片１５の肉厚ｔより僅かに大きくしているため、可動ロック爪１８を備えた係止片１５は空間１７をスムーズに通過することができ、ロック枠１０の外側枠１０ｃを外向きに撓ませない。
【００２３】
可動ロック爪１８の下部が外面６ａより突設したロック爪押圧用突起１１と接触する位置へ下降してくると、該ロック爪押圧用突起１１により可動ロック爪１８が下端辺１８ａを支点として外方に跳ね上がるように押される。可動ロック爪１８の上辺が最も外開きされ、図４（Ｂ）に示すように、上端係合面１８ｃがロック枠１０の外側枠下面の下端係合面１０ｄと係合する。これにより、可動ロック爪１８とロック枠１０とがロック結合される。
【００２４】
このように、可動ロック爪１８はロック枠１０を通過する時には外方に突出せずに平板状であるため、ロック枠１０を外側枠１０ｃを外方に撓ませず、可動ロック爪１８の上端係合面１８ｃとロック枠１０の下端係合面１０ｄとの間にクリアランスが生じない。よって、係合面１８ｃと１０ｄとをぴったりと当接させてロック結合でき、該ロック部分にガタ付きが発生せず、異音が生じるのを防止できる。
【００２５】
図５に変形例を示す。
変形例では、蓋４の上壁９の幅方向両側から下向きの周壁２０を設け、該周壁２０の下端から前記可動ロック爪１８を設けた係止片１５を突設している。
他の構成および作用は第一実施形態と同一であるため、同一符号を付して説明を省略する。
【００２６】
また、前記蓋４は本体３の一方側の側壁と薄肉ヒンジ部を介して一体的に設け、蓋４の幅方向の他端側と本体３の他方側の側壁とに前記可動ロック爪を設けた係止片と、ロック枠とを設けてロック係合してもよく、プロテクタは前記実施形態に限定されない。
【００２７】
図６に第二実施形態を示す。
第二実施形態では、ワイヤハーネス１を接続するジャンクションボックス等の電気接続箱２１のロック装置として、本発明を適用している。
該電気接続箱２１の内部回路材を収容する本体ケース２２にロック枠１０とロック爪押圧用突起１１を設ける一方、本体ケース２２の上部に被せるカバー２３の周壁に前記可動ロック爪１８を設けた係止片１５を突設している。即ち、カバー２３が係止片１５を突設した第二部材となり、ロック枠１０とロック押圧用突起１１を設けた本体ケース２２が第一部材となる。
他の構成および作用は第一実施形態と同様であるため、同一符号を付して説明を省略する。
【符号の説明】
【００２８】
１  ワイヤハーネス
２  プロテクタ
３  本体（第一部材）
４  蓋（第二部材）  
６  側壁
６ａ  外面
１０  ロック枠
１０ｃ  外側枠
１０ｄ  下端係合面
１１  ロック押圧用突起
１５  係止片
１６  スリット
１８  可動ロック爪
１８ａ  下端辺
１８ｃ  上端係合面  
２１  電気接続箱
２２  ケース本体
２３  カバー
【図１】
2010220425.tif 000003
【図２】
2010220425.tif 000004
【図３】
2010220425.tif 000005
【図４】
2010220425.tif 000006
【図５】
2010220425.tif 000007
【図６】
2010220425.tif 000008
【図７】
2010220425.tif 000009
【図８】
2010220425.tif 000010